(57)【特許請求の範囲】
【請求項１】
推計対象エリアで通信サービスを提供するための通信設備のうち、自己のサービス提供エリア内に存在する通信設備をそれぞれ管理する各通信ビルについて、当該通信ビルの位置を示す通信ビル情報を記憶する通信ビル情報ＤＢと、
前記推計対象エリアに存在する前記通信設備の位置と当該通信設備を管理する通信ビルとを示す通信設備情報を記憶する通信設備情報ＤＢと、
前記推定対象エリアを格子状に等分割して設けた各メッシュの位置を示すメッシュ情報を記憶するメッシュ情報ＤＢと、
前記通信ビルごとに、当該通信ビルのサービス提供エリア内で発生した通信設備の故障を示す故障情報を記憶する故障情報ＤＢと、
前記通信ビル情報ＤＢから読み出した各通信ビルの位置と、前記通信設備情報ＤＢから読み出した各通信設備の位置および当該通信設備を管理する通信ビルと、前記メッシュ情報ＤＢから読み出した各メッシュの位置とから、前記通信ビルと前記メッシュの組合せごとに、当該メッシュ内に存在する、当該通信ビルで管理されている通信設備の数を示す、個別通信設備数を計算する個別通信設備数計算部と、
前記個別通信設備数計算部で計算された個別通信設備数と、前記故障情報ＤＢから読み出した故障情報とから、前記通信ビルと前記メッシュの組合せごとに、当該個別通信設備数と当該通信ビルのサービス提供エリア内に存在する通信設備数との比率に基づいて、当該メッシュ内で発生した、当該通信ビルで管理されている通信設備の故障数を示す、個別故障数を計算する個別故障数計算部と、
前記メッシュ情報ＤＢから読み出した各メッシュの位置と、前記個別故障数計算部で計算された個別故障数とから、前記メッシュごとに、当該メッシュ内で発生したすべての故障数を示す、メッシュ別故障数を計算するメッシュ別故障数計算部と
を備えることを特徴とする分布推計装置。
【請求項２】
請求項１に記載の分布推計装置において、
前記個別故障数計算部は、ある通信ビルとメッシュの組合せの個別故障数を計算する際、当該通信ビルに関連する前記各個別通信設備数を集計して、当該通信ビルのサービス提供エリア内に存在する通信設備数を示すエリア通信設備数を計算し、当該組合せの個別通信設備数が当該エリア通信設備数に占める比率を計算し、この比率を前記故障情報に含まれる当該通信ビルの故障数に乗算することにより、当該組合せの前記個別故障数を計算することを特徴とする分布推定装置。
【請求項３】
請求項１または請求項２に記載の分布推計装置において、
前記メッシュ別故障数計算部は、あるメッシュのメッシュ別故障数を計算する際、前記各個別故障数のうちから、当該メッシュに関する、各通信ビルとの組の個別故障数を集計することにより、当該メッシュのメッシュ別故障数を計算することを特徴とする分布推定装置。
【請求項４】
請求項１〜請求項３のいずれか１つに記載の分布推計装置において、
前記通信設備情報ＤＢは、前記通信設備として前記通信サービスを提供するための電柱の位置と当該電柱を管理する通信ビルとを示す通信設備情報を記憶し、
前記個別通信設備数計算部は、前記通信ビルと前記メッシュの組合せごとに、当該メッシュ内に存在する、当該通信ビルで管理されている電柱の数を、前記個別通信設備数として計算する
ことを特徴とする分布推定装置。
【請求項５】
請求項１〜請求項３のいずれか１つに記載の分布推計装置において、
前記通信設備情報ＤＢは、前記通信設備として前記通信サービスを提供するための通信ケーブル位置と当該通信ケーブルを管理する通信ビルとを示す通信設備情報を記憶し、
前記個別通信設備数計算部は、前記通信ビルと前記メッシュの組合せごとに、当該メッシュ内に存在する、当該通信ビルで管理されている通信ケーブル長さを、前記個別通信設備数として前記通信ケーブル長さを計算する
ことを特徴とする分布推定装置。
【請求項６】
通信ビル情報ＤＢが、推計対象エリアで通信サービスを提供するための通信設備のうち、自己のサービス提供エリア内に存在する通信設備をそれぞれ管理する各通信ビルについて、当該通信ビルの位置を示す通信ビル情報を記憶する通信ビル情報記憶ステップと、
通信設備情報ＤＢが、前記推計対象エリアに存在する前記通信設備の位置と当該通信設備を管理する通信ビルとを示す通信設備情報を記憶する通信設備情報記憶ステップと、
メッシュ情報ＤＢが、前記推定対象エリアを格子状に等分割して設けた各メッシュの位置を示すメッシュ情報を記憶するメッシュ情報記憶ステップと、
故障情報ＤＢが、前記通信ビルごとに、当該通信ビルのサービス提供エリア内で発生した通信設備の故障を示す故障情報を記憶する故障情報記憶ステップと、
個別通信設備数計算部が、前記通信ビル情報ＤＢから読み出した各通信ビルの位置と、前記通信設備情報ＤＢから読み出した各通信設備の位置および当該通信設備を管理する通信ビルと、前記メッシュ情報ＤＢから読み出した各メッシュの位置とから、前記通信ビルと前記メッシュの組合せごとに、当該メッシュ内に存在する、当該通信ビルで管理されている通信設備の数を示す、個別通信設備数を計算する個別通信設備数計算ステップと、
個別故障数計算部が、前記個別通信設備数計算部で計算された個別通信設備数と、前記故障情報ＤＢから読み出した故障情報とから、前記通信ビルと前記メッシュの組合せごとに、当該個別通信設備数と当該通信ビルのサービス提供エリア内に存在する通信設備数との比率に基づいて、当該メッシュ内で発生した、当該通信ビルで管理されている通信設備の故障数を示す、個別故障数を計算する個別故障数計算ステップと、
メッシュ別故障数計算部が、前記メッシュ情報ＤＢから読み出した各メッシュの位置と、前記個別故障数計算部で計算された個別故障数とから、前記メッシュごとに、当該メッシュ内で発生したすべての故障数を示す、メッシュ別故障数を計算するメッシュ別故障数計算ステップと
を備えることを特徴とする分布推計方法。
【請求項７】
コンピュータを、請求項１〜請求項５のいずれか１つに記載の分布推計装置の各部として機能させるためのプログラム。
【発明の詳細な説明】
【技術分野】
【０００１】
本発明は、分布推計技術に関し、特に推定対象エリアを分割して設けたメッシュごとに、対象の分布を推計する分布推計技術に関する。
【背景技術】
【０００２】
通信設備故障時の迅速な復旧により通信サービスの信頼性を確保するためには、保守人員や交換物品の最適な配分が有効である。保守人員などの配分計画を策定するには、高精度かつ詳細な故障推計（故障予測）が必要となる。高精度な故障数を推計するには、統計処理において過去の設備故障の発生時間や発生場所などに関する詳細な情報が求められるが、発生場所の詳細な位置情報まで記載されている故障情報の入手は困難である。
【０００３】
従来より、雷害故障数の推計には、ある範囲（例えば、一つの県域）を対象として、その対象の中で単位面積毎（例えば、５ｋｍメッシュ）に雷害故障数と落雷情報や設備情報などを集計し、それらの関係を表すモデル関数を構築することにより、未来の雷害故障数を推計する方法が提案されている（例えば、特許文献１，２など参照）。その際に、落雷情報と設備情報に関しては詳細な位置情報があるが、雷害故障に関しては、詳細な位置情報がなく、通信ビル毎に雷害故障情報が集計されている。そこで、単位面積ごとの雷害故障数を集計する方法として、まず、通信ビル毎に集計された雷害故障情報を用い、設備故障の分布は各通信ビルのサービス提供エリアをその通信ビルが所在している位置を中心にある一定の範囲（例えば通信ビルが所在している位置を中心に１０ｋｍの正方形）であると仮定し、その範囲に均一的に分布すると仮定して、単位面積ごとの雷害故障数を求める方法が知られている。
【先行技術文献】
【特許文献】
【０００４】
【特許文献１】特開２００８−１５６２０号公報
【特許文献２】特開２００９−１５４５０号公報
【発明の概要】
【発明が解決しようとする課題】
【０００５】
前述した従来技術によれば、設備故障の分布は、各通信ビルが所在している位置を中心として、ある一定の集計エリア内に均一的に分布すると仮定している。
しかしながら、実際には、通信ビルのサービス提供エリアが必ずしも規則的な形ではなく、また、地域によって、そのサービス提供エリアの大きさも大きく変わってくると考えられる。
【０００６】
図１３は、あるサービス提供エリアにおける通信ビルの分布を示す説明図である。図１３に示すように、例えば、都心部であれば、設備が密集するので、ひとつの通信ビルのサービス提供エリアは小さく、通信ビルと通信ビルの間の距離も短い。一方で田舎部であれば、設備が少ないので、ひとつの通信ビルのサービス提供エリアは広く、通信ビルと通信ビルの間の距離も長い。
図１４は、あるサービス提供エリアにおける光ケーブルの総延長の分布を示す説明図である。この場合、１つのサービス提供エリア内で、通信設備の分布、ここでは光ケーブルの総延長の分布に偏りがあることが分かる。実際には、設備故障数はサービス提供数や通信設備の分布と密接な相関があり、設備の分布が均一的であるとは限らないため、このサービス提供エリア内において、設備故障の発生にも偏りが生じる。
【０００７】
本発明はこのような課題を解決するためのものであり、各対象の大まかな位置情報に基づいて故障分布を推計する場合でも、メッシュごとの故障分布を高い精度で推計できる分布推計技術を提供することを目的としている。
【課題を解決するための手段】
【０００８】
このような目的を達成するために、本発明にかかる分布推計装置は、推計対象エリアで通信サービスを提供するための通信設備のうち、自己のサービス提供エリア内に存在する通信設備をそれぞれ管理する各通信ビルについて、当該通信ビルの位置を示す通信ビル情報を記憶する通信ビル情報ＤＢと、前記推計対象エリアに存在する前記通信設備の位置と当該通信設備を管理する通信ビルとを示す通信設備情報を記憶する通信設備情報ＤＢと、前記推定対象エリアを格子状に等分割して設けた各メッシュの位置を示すメッシュ情報を記憶するメッシュ情報ＤＢと、前記通信ビルごとに、当該通信ビルのサービス提供エリア内で発生した通信設備の故障を示す故障情報を記憶する故障情報ＤＢと、前記通信ビル情報ＤＢから読み出した各通信ビルの位置と、前記通信設備情報ＤＢから読み出した各通信設備の位置および当該通信設備を管理する通信ビルと、前記メッシュ情報ＤＢから読み出した各メッシュの位置とから、前記通信ビルと前記メッシュの組合せごとに、当該メッシュ内に存在する、当該通信ビルで管理されている通信設備の数を示す、個別通信設備数を計算する個別通信設備数計算部と、前記個別通信設備数計算部で計算された個別通信設備数と、前記故障情報ＤＢから読み出した故障情報とから、前記通信ビルと前記メッシュの組合せごとに、当該個別通信設備数と当該通信ビルのサービス提供エリア内に存在する通信設備数との比率に基づいて、当該メッシュ内で発生した、当該通信ビルで管理されている通信設備の故障数を示す、個別故障数を計算する個別故障数計算部と、前記メッシュ情報ＤＢから読み出した各メッシュの位置と、前記個別故障数計算部で計算された個別故障数とから、前記メッシュごとに、当該メッシュ内で発生したすべての故障数を示す、メッシュ別故障数を計算するメッシュ別故障数計算部とを備えている。
【０００９】
また、本発明にかかる上記分布推定装置の一構成例は、前記個別故障数計算部が、ある通信ビルとメッシュの組合せの個別故障数を計算する際、当該通信ビルに関連する前記各個別通信設備数を集計して、当該通信ビルのサービス提供エリア内に存在する通信設備数を示すエリア通信設備数を計算し、当該組合せの個別通信設備数が当該エリア通信設備数に占める比率を計算し、この比率を前記故障情報に含まれる当該通信ビルの故障数に乗算することにより、当該組合せの前記個別故障数を計算するようにしたものである。
【００１０】
また、本発明にかかる上記分布推定装置の一構成例は、前記メッシュ別故障数計算部が、あるメッシュのメッシュ別故障数を計算する際、前記各個別故障数のうちから、当該メッシュに関する、各通信ビルとの組の個別故障数を集計することにより、当該メッシュのメッシュ別故障数を計算するようにしたものである。
【００１１】
また、本発明のかかる上記分布推定装置の一構成例は、前記通信設備情報ＤＢが、前記通信設備として前記通信サービスを提供するための電柱の位置と当該電柱を管理する通信ビルとを示す通信設備情報を記憶し、前記個別通信設備数計算部は、前記通信ビルと前記メッシュの組合せごとに、当該メッシュ内に存在する、当該通信ビルで管理されている電柱の数を、前記個別通信設備数として計算するようにしたものである。
【００１２】
また、本発明のかかる上記分布推定装置の一構成例は、前記通信設備情報ＤＢが、前記通信設備として前記通信サービスを提供するための通信ケーブル位置と当該通信ケーブルを管理する通信ビルとを示す通信設備情報を記憶し、前記個別通信設備数計算部は、前記通信ビルと前記メッシュの組合せごとに、当該メッシュ内に存在する、当該通信ビルで管理されている通信ケーブル長さを、前記個別通信設備数として前記通信ケーブル長さを計算するようにしたものである。
【００１３】
また、本発明にかかる分布推計方法は、通信ビル情報ＤＢが、推計対象エリアで通信サービスを提供するための通信設備のうち、自己のサービス提供エリア内に存在する通信設備をそれぞれ管理する各通信ビルについて、当該通信ビルの位置を示す通信ビル情報を記憶する通信ビル情報記憶ステップと、通信設備情報ＤＢが、前記推計対象エリアに存在する前記通信設備の位置と当該通信設備を管理する通信ビルとを示す通信設備情報を記憶する通信設備情報記憶ステップと、メッシュ情報ＤＢが、前記推定対象エリアを格子状に等分割して設けた各メッシュの位置を示すメッシュ情報を記憶するメッシュ情報記憶ステップと、故障情報ＤＢが、前記通信ビルごとに、当該通信ビルのサービス提供エリア内で発生した通信設備の故障を示す故障情報を記憶する故障情報記憶ステップと、個別通信設備数計算部が、前記通信ビル情報ＤＢから読み出した各通信ビルの位置と、前記通信設備情報ＤＢから読み出した各通信設備の位置および当該通信設備を管理する通信ビルと、前記メッシュ情報ＤＢから読み出した各メッシュの位置とから、前記通信ビルと前記メッシュの組合せごとに、当該メッシュ内に存在する、当該通信ビルで管理されている通信設備の数を示す、個別通信設備数を計算する個別通信設備数計算ステップと、個別故障数計算部が、前記個別通信設備数計算部で計算された個別通信設備数と、前記故障情報ＤＢから読み出した故障情報とから、前記通信ビルと前記メッシュの組合せごとに、当該個別通信設備数と当該通信ビルのサービス提供エリア内に存在する通信設備数との比率に基づいて、当該メッシュ内で発生した、当該通信ビルで管理されている通信設備の故障数を示す、個別故障数を計算する個別故障数計算ステップと、メッシュ別故障数計算部が、前記メッシュ情報ＤＢから読み出した各メッシュの位置と、前記個別故障数計算部で計算された個別故障数とから、前記メッシュごとに、当該メッシュ内で発生したすべての故障数を示す、メッシュ別故障数を計算するメッシュ別故障数計算ステップとを備えている。
【００１４】
また、本発明にかかるプログラムは、コンピュータを、前述したいずれか１つに記載の分布推計装置の各部として機能させるためのプログラムである。
【発明の効果】
【００１５】
本発明によれば、サービス提供エリアごとの故障分布をメッシュごとの故障分布に変換する際、個々の通信ビルごとに、当該サービス提供エリア内の通信設備数と、当該サービス提供エリア内の当該メッシュ内の通信設備との比に基づいて、サービス提供エリア内の故障数が当該メッシュ内の故障数に変換される。このため、従来のように、故障がサービス提供エリア内に均一的に分布すると仮定して、サービス提供エリアの面積とメッシュの面積との比に基づいて、サービス提供エリア別故障数をメッシュ別故障数に変換する場合と比較して、分布の変換で生じる誤差の大きさを抑制することができる。したがって、各対象の大まかな位置情報に基づいて故障分布を推計する場合でも、入手しやすい通信設備情報を用いて、メッシュごとの故障分布を高い精度で推計することが可能となる。
【図面の簡単な説明】
【００１６】
【図１】第１の実施の形態にかかる分布推計装置の構成を示すブロック図である。
【図２】第１の実施の形態にかかる分布推計装置の処理を示す概念図である。
【図３】通信ビル情報の構成例である。
【図４】通信設備情報情報の構成例である。
【図５Ａ】メッシュ情報の構成例である。
【図５Ｂ】メッシュの配置例である。
【図６】故障情報の構成例である。
【図７Ａ】個別通信設備数を示す説明図である。
【図７Ｂ】個別通信設備数の計算例である。
【図８】個別故障数の計算例である。
【図９】メッシュ別故障数の計算例である。
【図１０】第１の実施の形態にかかる分布推計装置の分布推計処理を示すフローチャートである。
【図１１】第２の実施の形態にかかる通信設備情報情報の構成例である。
【図１２】第２の実施の形態にかかる分布推計装置の分布推計処理を示すフローチャートである。
【図１３】あるサービス提供エリアにおける通信ビルの分布を示す説明図である。
【図１４】あるサービス提供エリアにおける光ケーブルの総延長の分布を示す説明図である。
【発明を実施するための形態】
【００１７】
次に、本発明の実施の形態について図面を参照して説明する。
［第１の実施の形態］
まず、図１および図２を参照して、本発明の第１の実施の形態にかかる分布推計装置について説明する。図１は、第１の実施の形態にかかる分布推計装置の構成を示すブロック図である。図２は、第１の実施の形態にかかる分布推計装置の処理を示す概念図である。
【００１８】
この分布推計装置１０は、全体としてサーバ装置やＰＣなどの情報処理装置からなり、データベースに格納されている通信サービスの提供に関する各種情報に基づいて、実際に通信設備の故障が集計されたサービス提供エリアとは位置的に一致しないメッシュごとに故障数を計算することにより故障分布を推計する機能を有している。
本実施の形態では、通信サービスを提供する拠点となる通信ビルのサービス提供エリアごとに集計された故障数から、推定対象エリアを格子状に等分割して設けたメッシュごとの故障数を計算する場合を例として説明する。
【００１９】
図１に示すように、分布推計装置１０には、主な機能部として、通信ビル情報ＤＢ１１、通信設備情報ＤＢ１２、メッシュ情報ＤＢ１３、故障情報ＤＢ１４、個別通信設備数計算部１５、個別故障数計算部１６、およびメッシュ別故障数計算部１７が設けられている。
【００２０】
なお、分布推計装置１０には、これら機能に加えて、画面表示部、操作入力部、記憶部、通信Ｉ／Ｆ部など、上記情報処理装置に設けられている一般的な構成を備えているものとする。
また、上記機能部のうち、通信ビル情報ＤＢ１１、通信設備情報ＤＢ１２、メッシュ情報ＤＢ１３、故障情報ＤＢ１４は、ハードディスクや半導体メモリなどの記憶装置から構成されている。また、個別通信設備数計算部１５、個別故障数計算部１６、およびメッシュ別故障数計算部１７は、記憶部（図示せず）から読み出したプログラムを実行するＣＰＵにより実現されている。
【００２１】
通信ビル情報ＤＢ１１は、推計対象エリアで通信サービスを提供するための通信設備のうち、自己のサービス提供エリア内に存在する通信設備をそれぞれ管理する各通信ビルについて、当該通信ビルの位置を示す通信ビル情報を記憶する機能を有している。
図３は、通信ビル情報の構成例である。ここでは、通信ビルを識別するための通信ビルコードごとに、ビル名と当該通信ビルが設置されている位置を示す位置情報とが登録されている。位置情報としては、緯度および経度が用いられている。
【００２２】
通信設備情報ＤＢ１２は、推計対象エリアに存在する電柱などの通信設備の位置と、当該通信設備を管理する通信ビルと、を示す通信設備情報を記憶する機能を有している。
図４は、通信設備情報情報の構成例である。ここでは、通信設備の例として電柱が示されており、電柱を管理する通信ビルごとに、電柱を識別するための電柱番号と当該電柱が設置されている位置を示す位置情報とが登録されている。位置情報としては、緯度および経度が用いられている。
【００２３】
メッシュ情報ＤＢ１３は、推定対象エリアを格子状に等分割して設けた各メッシュの位置を示すメッシュ情報を記憶する機能を有している。
図５Ａは、メッシュ情報の構成例であり、図５Ｂは、メッシュの配置例である。ここでは、一辺の長さＬＡが５ｋｍからなる矩形エリアからメッシュが構成されており、メッシュを識別するためのメッシュＩＤごとに、当該メッシュの基点位置、例えば当該メッシュの北西角位置を示す位置情報として、緯度および経度が登録されている。なお、メッシュの大きさや位置については、必要とする分布推計データに応じて任意に設定すればよいが、メッシュの大きさは、サービス提供エリアより小さいものとする。
【００２４】
故障情報ＤＢ１４は、通信ビルのサービス提供エリアごとに、当該サービス提供エリア内で発生した通信設備の故障を示す故障情報を記憶する機能を有している。
図６は、故障情報の構成例である。ここでは、発生した故障に対応した通信ビルを示すビル名ごとに、各年度における故障数が登録されている。
【００２５】
個別通信設備数計算部１５は、通信ビル情報ＤＢ１１から読み出した各通信ビルの位置と、通信設備情報ＤＢ１２から読み出した各通信設備の位置および当該通信設備を管理する管理通信ビルと、メッシュ情報ＤＢ１３から読み出した各メッシュの位置とから、通信ビルＫｊとメッシュＡｉの組合せごとに、当該メッシュＡｉ内に存在する、当該通信ビルＫｊで管理されている通信設備の数を示す、個別通信設備数Ｐｊｉを計算する機能を有している。
【００２６】
図７Ａは、個別通信設備数を示す説明図であり、図７Ｂは、個別通信設備数の計算例である。ここでは、図３に示した通信設備である電柱の設置位置と、図５Ｂに示した各メッシュＡｉの位置とが比較されて、通信ビルＫｊの電柱が属するメッシュＡｉが羅列されて、通信ビルＫｊのサービス提供エリアとメッシュＡｉとの関係、すなわち通信ビルＫｊのサービス提供メッシュリストが生成される。また、各通信ビルＫｊのサービス提供メッシュリストのメッシュＡｉごとに、当該メッシュＡｉ内に存在する、通信ビルＫｊで管理されている電柱数が、個別通信設備数Ｐｊｉとして計算される。
【００２７】
この場合、図７Ｂの例では、通信ビルＫ１の電柱の設置位置が、メッシュＡ５，Ａ６，Ａ７，Ａ９，Ａ１０，Ａ１１，Ａ１４に分布しているため、通信ビルＫ１のサービス提供メッシュがＡ５，Ａ６，Ａ７，Ａ９，Ａ１０，Ａ１１，Ａ１４となる。また、通信ビルＫ２の電柱の設置位置が、メッシュＡ２，Ａ３，Ａ４，Ａ７，Ａ８に分布しているため、通信ビルＫ２のサービス提供メッシュがＡ２，Ａ３，Ａ４，Ａ７，Ａ８となる。
【００２８】
個別故障数計算部１６は、個別通信設備数計算部１５で計算された個別通信設備数Ｐｊｉと、故障情報ＤＢ１４から読み出した故障情報とから、通信ビルＫｊとメッシュＡｉの組合せごとに、個別通信設備数Ｐｊｉと当該通信ビルＫｊのサービス提供エリア内に存在する通信設備数Ｐｊとの比率に基づいて、当該メッシュＡｉ内で発生した、当該通信ビルＫｊで管理されている通信設備の故障数を示す、個別故障数Ｆｊｉを計算する機能を有している。図８は、個別故障数の計算例である。
【００２９】
この際、個別故障数計算部１６は、ある通信ビルＫｉとメッシュＡｉの組合せの個別故障数Ｆｊｉ、すなわち、ある通信ビルＫｊのサービス提供エリアに属するメッシュＡｉの個別故障数Ｆｊｉを計算する際、次の式（１）に基づき計算する
【数１】
0005513546.tif 000002
式（１）では、まず、図７Ｂに示したサービス提供メッシュリストおよび各個別通信設備数Ｐｊｉから、当該通信ビルＫｊに関連する個別通信設備数Ｐｊｉを集計して、当該通信ビルＫｊのサービス提供エリア内に存在するエリア通信設備数Ｐｊを計算し、当該組合せの個別通信設備数Ｐｊｉがエリア通信設備数Ｐｊに占める比率を計算する。次に、この比率を通信ビルＫｊの故障数Ｆｊに乗算することにより、当該組合せの個別故障数Ｆｊｉを計算する。
【００３０】
メッシュ別故障数計算部１７は、メッシュ情報ＤＢ１３から読み出した各メッシュの位置と、個別故障数計算部１６で計算された個別故障数Ｆｊｉとから、メッシュＡｉごとに、当該メッシュ内で発生したすべての故障数を示す、メッシュ別故障数Ｆｉを計算する機能を有している。図９は、メッシュ別故障数の計算例である。
【００３１】
この際、メッシュ別故障数計算部１７は、あるメッシュＡｉのメッシュ別故障数Ｆｉを計算する際、次の式（２）に基づき計算する。
【数２】
0005513546.tif 000003
式（２）では、図５Ｂに示した各メッシュＡｉの位置と、図８に示したサービス提供メッシュリストおよび個別故障数Ｆｊｉとから、当該メッシュに関する、各通信ビルＫｉとの組の個別故障数を集計することにより、当該メッシュＡｉのメッシュ別故障数Ｆｉを計算する。
【００３２】
［第１の実施の形態の動作］
次に、図１０を参照して、本実施の形態にかかる分布推計装置１０の動作について説明する。図１０は、第１の実施の形態にかかる分布推計装置の分布推計処理を示すフローチャートである。
【００３３】
まず、個別通信設備数計算部１５は、通信ビル情報ＤＢ１１から読み出した各通信ビルの位置と、通信設備情報ＤＢ１２から読み出した各通信設備の位置および当該通信設備を管理する管理通信ビルと、メッシュ情報ＤＢ１３から読み出した各メッシュの位置とから、通信ビルＫｊとメッシュＡｉの組合せごとに、個別通信設備数Ｐｊｉを計算する（ステップ１００）。
【００３４】
続いて、個別故障数計算部１６は、個別通信設備数計算部１５で計算された個別通信設備数Ｐｊｉと、故障情報ＤＢ１４から読み出した故障情報とから、式（１）に基づいて、通信ビルＫｊとメッシュＡｉの組合せごとに、個別故障数Ｆｊｉを計算する（ステップ１０１）。
【００３５】
この後、メッシュ別故障数計算部１７は、メッシュ情報ＤＢ１３から読み出した各メッシュの位置と、個別故障数計算部１６で計算された個別故障数Ｆｊｉとから、式（２）に基づいて、メッシュＡｉごとにメッシュ別故障数Ｆｉを計算し（ステップ１０２）、一連の分布推計処理を終了する。
【００３６】
［第１の実施の形態の効果］
このように、本実施の形態は、個別通信設備数計算部１５が、通信ビル情報ＤＢ１１から読み出した各通信ビルの位置と、通信設備情報ＤＢ１２から読み出した各通信設備の位置と、メッシュ情報ＤＢ１３から読み出した各メッシュの位置とから、通信ビルＫｊとメッシュＡｉの組合せごとに、当該メッシュＡｉ内に存在する、当該通信ビルＫｊで管理されている通信設備の数を示す、個別通信設備数Ｐｊｉを計算し、個別故障数計算部１６が、個別通信設備数計算部１５で計算された個別通信設備数Ｐｊｉと、故障情報ＤＢ１４から読み出した故障情報とから、通信ビルＫｊとメッシュＡｉの組合せごとに、個別通信設備数Ｐｊｉと当該通信ビルＫｊのサービス提供エリア内に存在する通信設備数Ｐｊとの比率に基づいて、当該メッシュＡｉ内で発生した、当該通信ビルＫｊで管理されている通信設備の故障数を示す、個別故障数Ｆｊｉを計算し、メッシュ別故障数計算部１７が、メッシュ情報ＤＢ１３から読み出した各メッシュの位置と、個別故障数計算部１６で計算された個別故障数Ｆｊｉとから、メッシュＡｉごとに、当該メッシュ内で発生したすべての故障数を示す、メッシュ別故障数Ｆｉを計算するようにしたものである。
【００３７】
これにより、サービス提供エリアごとの故障分布をメッシュごとの故障分布に変換する際、個々の通信ビルごとに、当該サービス提供エリア内の通信設備数と、当該サービス提供エリア内の当該メッシュ内の通信設備との比に基づいて、サービス提供エリア内の故障数が当該メッシュ内の故障数に変換される。このため、従来のように、故障がサービス提供エリア内に均一的に分布すると仮定して、サービス提供エリアの面積とメッシュの面積との比に基づいて、サービス提供エリア別故障数をメッシュ別故障数に変換する場合と比較して、分布の変換で生じる誤差の大きさを抑制することができる。
したがって、各対象の大まかな位置情報に基づいて故障分布を推計する場合でも、入手しやすい通信設備情報を用いて、メッシュごとの故障分布を高い精度で推計することが可能となる。
【００３８】
［第２の実施の形態］
次に、図１および図２を参照して、本発明の第２の実施の形態にかかる分布推計装置１０について説明する。なお、本実施の形態にかかる分布推計装置１０に設けられている機能部および分布推計装置１０の処理概念については、第１の実施の形態と同様であり、ここでは、前述の図１および図２を参照して説明する。
【００３９】
第１の実施の形態では、通信設備の１つである電柱の数からなる通信設備数に基づき、メッシュ別故障数を計算する場合を例として説明した。本実施の形態では、電柱の数に代えて通信ケーブル距離からなる通信設備数に基づき、メッシュ別故障数を計算する場合について説明する。通信ケーブルとしては、メタリックの電線でもよく光ファイバであってもよい。
【００４０】
本実施の形態において、通信設備情報ＤＢ１２は、推計対象エリアで通信サービスを提供する通信ケーブル位置と、当該電線を管理する通信ビルと、を示す通信設備情報を記憶する機能を有している。
図１１は、第２の実施の形態にかかる通信設備情報情報の構成例である。ここでは、通信設備の例として電線が示されており、電線を管理する通信ビルごとに、電線を識別するための電線番号と当該電線が設置されている始点および終点の位置を示す位置情報とが登録されている。位置情報としては、緯度および経度が用いられている。
【００４１】
個別通信設備数計算部１５は、通信ビル情報ＤＢ１１から読み出した各通信ビルの位置と、通信設備情報ＤＢ１２から読み出した各通信ケーブル位置および当該電線を管理する管理通信ビルと、メッシュ情報ＤＢ１３から読み出した各メッシュの位置とから、通信ビルＫｊとメッシュＡｉの組合せごとに、当該メッシュＡｉ内に存在する、当該通信ビルＫｊで管理されている通信ケーブル距離（長さ）を示す、個別通信設備数Ｗｊｉを計算する機能を有している。
【００４２】
この際、個別通信設備数計算部１５において、図１１に示した通信設備である通信ケーブル設置位置と、図５Ｂに示した各メッシュＡｉの位置とが比較されて、通信ビルＫｊの電線が属するメッシュＡｉが羅列されて、通信ビルＫｊのサービス提供エリアとメッシュＡｉとの関係、すなわち通信ビルＫｊのサービス提供メッシュリストが生成される。また、各通信ビルＫｊのサービス提供メッシュリストのメッシュＡｉごとに、当該メッシュＡｉ内に存在する、通信ビルＫｊで管理されている通信ケーブル距離が、個別通信設備数Ｗｊｉとして計算される。通信ケーブル距離は、通信ケーブル始点および終点位置座標とメッシュの境界位置座標とから計算できる。
【００４３】
個別故障数計算部１６は、個別通信設備数計算部１５で計算された個別通信設備数Ｗｊｉと、故障情報ＤＢ１４から読み出した故障情報とから、通信ビルＫｊとメッシュＡｉの組合せごとに、個別通信設備数Ｗｊｉと当該通信ビルＫｊのサービス提供エリア内に存在する通信設備数Ｗｊとの比率に基づいて、当該メッシュＡｉ内で発生した、当該通信ビルＫｊで管理されている通信設備の故障数を示す、個別故障数Ｆｊｉを計算する機能を有している。
【００４４】
この際、個別故障数計算部１６は、ある通信ビルＫｊのサービス提供エリアに属するメッシュＡｉの個別故障数Ｆｊｉ、すなわち、ある通信ビルＫｊのサービス提供エリアに属するメッシュＡｉの個別故障数Ｆｊｉを計算する際、次の式（３）に基づき計算する
【数３】
0005513546.tif 000004
式（３）では、まず、個別通信設備数Ｗｊｉから、当該通信ビルＫｊに関連する個別通信設備数Ｗｊｉを集計して、当該通信ビルＫｊのサービス提供エリア内に存在するエリア通信設備数Ｗｊを計算し、当該組合せの個別通信設備数Ｗｊｉがエリア通信設備数Ｗｊに占める比率を計算する。次に、この比率を通信ビルＫｊの故障数Ｆｊに乗算することにより、当該組合せの個別故障数Ｆｊｉを計算する。
【００４５】
メッシュ別故障数計算部１７は、メッシュ情報ＤＢ１３から読み出した各メッシュの位置と、個別故障数計算部１６で計算された個別故障数Ｆｊｉとから、メッシュＡｉごとに、当該メッシュ内で発生したすべての故障数を示す、メッシュ別故障数Ｆｉを計算する機能を有している。
【００４６】
この際、メッシュ別故障数計算部１７は、あるメッシュＡｉのメッシュ別故障数Ｆｉを計算する際、次の式（４）に基づき計算する。
【数４】
0005513546.tif 000005
式（４）では、図５Ｂに示した各メッシュＡｉの位置と、図８に示したサービス提供メッシュリストおよび個別故障数Ｆｊｉとから、当該メッシュに関する、各通信ビルＫｉとの組の個別故障数を集計することにより、当該メッシュＡｉのメッシュ別故障数Ｆｉを計算する。
【００４７】
［第２の実施の形態の動作］
次に、図１２を参照して、本実施の形態にかかる分布推計装置１０の動作について説明する。図１２は、第２の実施の形態にかかる分布推計装置の分布推計処理を示すフローチャートである。
【００４８】
まず、個別通信設備数計算部１５は、通信ビル情報ＤＢ１１から読み出した各通信ビルの位置と、通信設備情報ＤＢ１２から読み出した各通信ケーブル位置と、メッシュ情報ＤＢ１３から読み出した各メッシュの位置とから、通信ビルＫｊとメッシュＡｉの組合せごとに、個別通信設備数Ｗｊｉを計算する（ステップ２００）。
【００４９】
続いて、個別故障数計算部１６は、個別通信設備数計算部１５で計算された個別通信設備数Ｗｊｉと、故障情報ＤＢ１４から読み出した故障情報とから、式（３）に基づいて、通信ビルＫｊとメッシュＡｉの組合せごとに、個別故障数Ｆｊｉを計算する（ステップ２０１）。
【００５０】
この後、メッシュ別故障数計算部１７は、メッシュ情報ＤＢ１３から読み出した各メッシュの位置と、個別故障数計算部１６で計算された個別故障数Ｆｊｉとから、式（２）に基づいて、メッシュＡｉごとのメッシュ別故障数Ｆｉを計算し（ステップ２０２）、一連の分布推計処理を終了する。
【００５１】
［第２の実施の形態の効果］
このように、本実施の形態は、電柱の数に代えて通信ケーブル距離からなる通信設備数に基づき、メッシュ別故障数を計算するようにしたので、比較的入手しやすい通信設備情報を用いて、メッシュごとの故障分布を高い精度で推計することが可能となる。
【００５２】
［実施の形態の拡張］
以上、実施形態を参照して本発明を説明したが、本発明は上記実施形態に限定されるものではない。本発明の構成や詳細には、本発明のスコープ内で当業者が理解しうる様々な変更をすることができる。
【符号の説明】
【００５３】
１０…分布推計装置、１１…通信ビル情報ＤＢ、１２…通信設備情報ＤＢ、１３…メッシュ情報ＤＢ、１４…故障情報ＤＢ、１５…個別通信設備数計算部、１６…個別故障数計算部、１７…メッシュ別故障数計算部、Ｋｊ…通信ビル、Ａｉ…メッシュ、Ｐｊｉ…個別通信設備数、Ｐｊ…エリア通信設備数、Ｆｊｉ…個別故障数、Ｆｊ…メッシュ別故障数、Ｗｊｉ…個別通信設備数、Ｗｊ…エリア通信設備数。
【図１】
0005513546.tif 000006
【図２】
0005513546.tif 000007
【図３】
0005513546.tif 000008
【図４】
0005513546.tif 000009
【図５Ａ】
0005513546.tif 000010
【図５Ｂ】
0005513546.tif 000011
【図６】
0005513546.tif 000012
【図７Ａ】
0005513546.tif 000013
【図７Ｂ】
0005513546.tif 000014
【図８】
0005513546.tif 000015
【図９】
0005513546.tif 000016
【図１０】
0005513546.tif 000017
【図１１】
0005513546.tif 000018
【図１２】
0005513546.tif 000019
【図１３】
0005513546.tif 000020
【図１４】
0005513546.tif 000021